(57)【要約】【課題】付加インピーダンスを用いて減衰極を形成し、ＳＡＷフィルタの周波数特性を高性能化し得る有極型ＳＡＷフィルタを提供する。【解決手段】二端子対回路のＳＡＷ共振器を用いた共振器形ＳＡＷフィルタと二端子対回路のインピーダンスの直列接続により構成される有極型ＳＡＷフィルタであって、前記二端子対回路のインピーダンスにより減衰極を形成し、急峻な周波数特性を有するとともに、前記二端子対回路のインピーダンスＺ4AP にインダクタＬ40とキャパシタＣ40を用いるようにしたものである。【選択図】図１３
2006014377.tif 000002
【特許請求の範囲】
【請求項１】
二端子対回路のＳＡＷ共振器を用いた共振器形ＳＡＷフィルタと二端子対回路のインピーダンスの直列接続により構成される有極型ＳＡＷフィルタであって、前記二端子対回路のインピーダンスにより減衰極を形成し、急峻な周波数特性を有するとともに、前記二端子対回路のインピーダンスにインダクタとキャパシタを用いたことを特徴とする有極型ＳＡＷフィルタ。
【請求項２】
請求項１記載の有極型ＳＡＷフィルタにおいて、前記インダクタとキャパシタはインダクタとキャパシタの並列共振回路を構成したことを特徴とする有極型ＳＡＷフィルタ。
【請求項３】
請求項１記載の有極型ＳＡＷフィルタにおいて、前記インダクタとキャパシタは、インダクタとキャパシタの並列共振回路と、インダクタの直列回路を構成したことを特徴とする有極型ＳＡＷフィルタ。
【請求項４】
請求項１記載の有極型ＳＡＷフィルタにおいて、前記インダクタとキャパシタは、インダクタとキャパシタの直列共振回路と、キャパシタの並列回路を用いたことを特徴とする有極型ＳＡＷフィルタ。
【発明の詳細な説明】
【技術分野】
【０００１】
本発明は、共振器形ＳＡＷ（表面弾性波）フィルタと付加インピーダンスにより構成された有極型ＳＡＷフィルタに関するものである。
【背景技術】
【０００２】
ＳＡＷフィルタはＬＳＩと同様に、量産性に優れていることから、民生機器や通信機器などに広範囲に用いられている。特に、小形、かつ軽量であるという特徴から、ポケットベル、携帯電話等の移動体通信において、高周波フィルタとして多用されている。
【０００３】
ところで、移動体通信に用いられるＳＡＷフィルタは、低挿入損失で急峻な周波数特性が要求される。この場合、図４に示すように、直列素子１０，１１，１２、並列素子２０，２１にＳＡＷ共振子を用いた帯域通過型フィルタ構成となっている。なお、図４において、１，２は端子、Ｅは接地端子である。
【特許文献１】なし
【発明の開示】
【発明が解決しようとする課題】
【０００４】
しかしながら、最近の携帯電話等の移動体通信機器の高性能化に伴い、ＳＡＷフィルタの一層の低挿入損失化が要求されている。この要求に対して、上記した図４に示される梯子型フィルタが主に用いられているが、この種の梯子型ＳＡＷフィルタは、用いる圧電基板の特性に依存しているのが現状である。具体的には通過帯域の帯域幅、挿入損失、通過帯域と減衰域の特性の急峻さ、及び減衰帯域の減衰量に圧電基板の特性が関係している。
【０００５】
また、梯子型ＳＡＷフィルタにおいて、用いるＳＡＷ共振器の共振周波数（直列共振周波数）、反共振周波数（並列共振周波数）、通過帯域、減衰帯域またはその逆を利用するものでは、通過帯域と減衰帯域の配置もしくは間隔が制限される問題がある。
【０００６】
したがって、通過帯域と減衰帯域の間隔が狭く、しかも通過帯域において低損失を得ることは難しいといった問題があった。
【０００７】
本発明は、上記問題点を除去し、付加インピーダンスを用いて減衰極を形成し、ＳＡＷフィルタの周波数特性を高性能化し得る有極型ＳＡＷフィルタを提供することを目的とする。
【課題を解決するための手段】
【０００８】
本発明は、上記目的を達成するために、
〔１〕二端子対回路のＳＡＷ共振器を用いた共振器形ＳＡＷフィルタと二端子対回路のインピーダンスの直列接続により構成される有極型ＳＡＷフィルタであって、前記二端子対回路のインピーダンスにより減衰極を形成し、急峻な周波数特性を有するとともに、前記二端子対回路のインピーダンスにインダクタとキャパシタを用いるようにしたものである。
【０００９】
〔２〕上記〔１〕記載の有極型ＳＡＷフィルタにおいて、前記インダクタとキャパシタは、インダクタとキャパシタの並列共振回路を構成するようにしたものである。
【００１０】
〔３〕上記〔１〕記載の有極型ＳＡＷフィルタにおいて、前記インダクタとキャパシタは、インダクタとキャパシタの並列共振回路と、インダクタの直列回路を構成するようにしたものである。
【００１１】
〔４〕上記〔１〕記載の有極型ＳＡＷフィルタにおいて、前記インダクタとキャパシタは、インダクタとキャパシタの直列共振回路と、キャパシタの並列回路を用いるようにしたものである。
【発明の効果】
【００１２】
本発明によれば、共振器形ＳＡＷフィルタの周波数特性を、付加インピーダンスを設けることにより、減衰極を形成し、高性能低挿入損失の有極型ＳＡＷフィルタを得ることができる。
【発明を実施するための最良の形態】
【００１３】
本発明の有極型ＳＡＷフィルタは、二端子対回路のＳＡＷ共振器を用いた共振器形ＳＡＷフィルタと二端子対回路のインピーダンスの直列接続により構成される有極型ＳＡＷフィルタであって、前記二端子対回路のインピーダンスにより減衰極を形成し、急峻な周波数特性を有するとともに、前記二端子対回路のインピーダンスにインダクタとキャパシタを用いる。
【実施例】
【００１４】
以下、本発明の実施形態について図面を参照しながら説明する。
【００１５】
図１は本発明にかかる有極型ＳＡＷフィルタの構成図、図２はその有極型ＳＡＷフィルタの集中定数回路図である。前記図４と同じ部分については、同じ符号を付してそれらの説明は省略する。
【００１６】
図１に示すように、二つの二端子対回路（梯子型ＳＡＷフィルタ）２００，（インピーダンスＺA ３）２０１を直列に接続することにより、通過帯域と減衰帯域の間隔が狭く、特性が急峻で、しかも通過帯域において低挿入損失を得ることができる高性能梯子型ＳＡＷフィルタを実現するものである。
【００１７】
すなわち、一つの二端子対回路として梯子型ＳＡＷフィルタ２００を有し、もう一つの二端子対回路２０１をインダクタのみで構成する。
【００１８】
ここで、本発明の有極型ＳＡＷフィルタの動作について図３に示す回路を用いて説明する。
【００１９】
図３は図２に示す本発明にかかる有極型ＳＡＷフィルタの集中定数回路を二等分した回路図である。図２および図３において、１３〜１８，２２，２３はＳＡＷ共振器の等価回路、ＺA ４はインピーダンスである。
【００２０】
ここで、Ｌ0 ＝０の場合、及びＬ0 ≠０の場合について考察する。
【００２１】
（Ａ）Ｌ0 ＝０の場合、図３に示す回路において、端子（６，７，８）を開放した場合の端子５と、接地端子Ｅからの入力インピーダンスＺ30、及び端子（６，７，８）を短絡した場合の端子５と接地端子Ｅからの入力インピーダンスＺ3sを求めると、次に示す式（１）、式（２）で与えられる。
【００２２】
Ｚ3O＝Ｚ1 ＋Ｚ3                             …（１）
Ｚ3s＝Ｚ1 ＋Ｚ2 ×Ｚ3 ／（Ｚ2 ＋Ｚ3 ）      …（２）
ここで
Ｚ1 ＝（１＋Ｓ2 ＬS1ＣS1）／（ＳＣS10 ＋ＳＣS1＋Ｓ3 ＬS1ＣS1ＣS10 ）
Ｚ2 ＝（１＋Ｓ2 ＬS2ＣS2）／（ＳＣS20 ＋ＳＣS2＋Ｓ3 ＬS2ＣS2ＣS20 ）
Ｚ3 ＝（１＋Ｓ2 ＬS3ＣS3）／（ＳＣS30 ＋ＳＣS3＋Ｓ3 ＬS3ＣS3ＣS30 ）
Ｓ＝ｊω，  ω＝２πｆ                      …（３）
また、図３に示す回路の周波数特性α（ω）は上記式（１）、式（２）を用いて以下の式（４）のようになる。
【００２３】
α（ω）＝２０．０×Ｌｏｇ［ＡＢＳ〔（１＋Ｚ3O）（１＋Ｚ3S）／
（Ｚ3O−Ｚ3S）〕］（ｄＢ）        …（４）
ここで、ＡＢＳ〔  〕は〔  〕内の絶対値を表す。
【００２４】
すなわち、Ｌ0 ＝０の場合の図１に示す有極型ＳＡＷフィルタの周波数特性は上記式（４）より判る。周波数特性上の減衰極は、上記式（３）より次の場合である。
【００２５】
１．  Ｚ3O＝∞  または、Ｚ3S＝∞
２．  Ｚ3O＝Ｚss＝０  
３．  Ｚ3O＝Ｚ3S                          …（５）
このＺ1 ，Ｚ2 ，Ｚ3 がＳＡＷ共振子の場合、上記式（３）より上記式（５）の条件は決まる。
【００２６】
（Ｂ）Ｌ0 ≠０の場合
ここで、図１において、上記式（１）、式（２）において、上記式（１）のみ以下の式（６）のようになる。
【００２７】
Ｚ3O（Ｌ0 ）＝Ｚ1 ＋Ｚ3 ＋ＳＬ0             …（６）
上記式（２）、式（６）より、上記式（５）の条件を満足するように、Ｌ0 を決める。
【００２８】
本発明は、Ｌ0 を付加し、広範囲に亘って、式（５）〔Ｚ3O（Ｌ0 ）≒Ｚ3s〕の関係を満足するようにして、周波数特性上において、減衰極を形成し、低挿入損失で、しかも、急峻な特性を有する有極型ＳＡＷフィルタを実現するものである。
【００２９】
以下、本発明の参考例及び実施例につい説明する。
【００３０】
まず、参考例〔１〕について説明する。
【００３１】
ここで、参考例〔１〕の有極型ＳＡＷフィルタを用いたＣＤＭＡ用Ｔｘ−フィルタについて説明する。
【００３２】
このＣＤＭＡ用Ｔｘ−フィルタは、図４に示すようにＣＤＭＡ用Ｔｘ−フィルタの回路構成である。つまり、４段構成共振器型ＳＡＷフィルタ（直列腕ＳＡＷ共振器：Ｒs1１０、Ｒs2１１、Ｒs3１２、並列腕ＳＡＷ共振器：ＲP1２０、ＲP2２１）である。
【００３３】
図４において、直列腕のＳＡＷ共振器の基本構成は（対数１２０対、交差長１２０μｍ）、並列腕のＳＡＷ共振器の基本構成は（対数６０対、交差長９０μｍ）である。
【００３４】
図５は図４に示したフィルタの集中定数等価回路図、図６は本発明のＣＤＭＡ用Ｔｘ−フィルタの周波数特性と従来のＣＤＭＡ用Ｔｘ−フィルタの周波数特性を示す図、図７は従来のＣＤＭＡ用Ｔｘ−フィルタの開放、短絡インピーダンス特性図、図８は本発明のＣＤＭＡ用Ｔｘ−フィルタの開放、短絡インピーダンス特性図であり、図７及び図８において、横軸に周波数（Ｈｚ）、縦軸にインピーダンス（Ω）を示しており、曲線ａは短絡インピーダンスを、曲線ｂは開放インピーダンスをそれぞれ示している。
【００３５】
図７に示す従来のフィルタおいては、注目する帯域（８６９〜８９４ＭＨｚ）において、短絡インピーダンスと開放インピーダンスが等しくないが、本発明の場合は、Ｌ0 ＝４（ｎＨ）を付加することにより、短絡インピーダンスと開放インピーダンスが近似的に等しくなり、減衰量が要求規格を満足する。
【００３６】
また、図９（表）はＣＤＭＡ用Ｔｘ−フィルタの周波数特性及びインピーダンス特性を示す図である。
【００３７】
図６において、横軸に周波数（Ｈｚ）、縦軸に減衰量（ｄＢ）を表しており、ａは従来の回路構成の周波数特性を、ｂは本発明の回路構成の周波数特性をそれぞれ示している。なお、ここで、本発明の回路構成においては、回路構成付加インピーダンスはインダクタで構成し、そのインダクタンス値Ｌは、Ｌ0 ＝４（ｎＨ）とした場合、従来の回路構成においては、インダクタンス値ＬはＬ＝０としている。
【００３８】
図６から明らかなように、８２４ＭＨｚから８４９ＭＨｚまでは減衰量１．５ｄＢ以下であり、８６９ＭＨｚから８９４ＭＨｚまでは減衰量３．５ＭＨｚ以上であり、通過帯域と減衰帯域の間隔が狭く、特性が急峻であることがわかる。
【００３９】
なお、従来技術と本発明の比較において、注目周波数点として、８８９、８９５、９０１ＭＨｚについては図９（表）に示した。
【００４０】
図６及び図９から明らかなように、従来の場合（Ｌ0 ＝０の場合）は、８２３ＭＨｚで１．６５ｄＢ、８４９ＭＨｚで１．１５ｄＢ、８６９ＭＨｚで４６．９ｄＢ、８９５ＭＨｚで２５．７ｄＢであり、本発明の場合（Ｌ0 ＝４ｎＨの場合）は、８２３ＭＨｚで１．１３ｄＢ、８４９ＭＨｚで１．１９ｄＢ、８６９ＭＨｚで４６．０ｄＢ、８９５ＭＨｚで３８．８ｄＢである。
【００４１】
インピーダンス特性に関しては、図７乃至図９から明らかなように、従来の場合（Ｌ0 ＝０の場合）は、８８９ＭＨｚにおいて、短絡（Ｚ3s）で−ｊ２．６１、開放（Ｚ30）で−ｊ３．３５、８９５ＭＨｚにおいて、短絡で−ｊ２．２８、開放で−ｊ３．００、９０１ＭＨｚにおいて、短絡で−ｊ２．１２、開放で−ｊ２．８４であり、本発明の場合（Ｌ0 ＝４ｎＨの場合）は、８８９ＭＨｚにおいて、短絡で−ｊ２．６１、開放で−ｊ２．９１、８９５ＭＨｚにおいて、短絡で−ｊ２．２８、開放で−ｊ２．５５、９０１ＭＨｚにおいて、短絡で−ｊ２．１２、開放で−ｊ２．３９である。
【００４２】
したがって、本発明の場合（Ｌ0 ＝４ｎＨの場合）は、従来の場合（Ｌ0 ＝０の場合）に比して、通過帯域において低挿入損失であることがわかる。
【００４３】
また、上記したように、図８及び図９（表）に従来の回路構成の開放（Ｚ30）、短絡（Ｚ3s）インピーダンスが表わされており、この図のＣＤＭＡ用Ｔｘ−フィルタの減衰帯域（８６９．０〜８９４．０）ＭＨｚに注目すると、Ｚ30≠Ｚ3sである。
【００４４】
図９では、本発明において、Ｌ0 ＝４（ｎＨ）の場合で、Ｚ30（Ｌ0 ）≒Ｚssである。
【００４５】
この発明の周波数特性は、図６における曲線（ｂ）から明らかなように、従来例を示す図６における曲線（ａ）に比較して大幅に改善されて、要求規格を満足することがわかる。
【００４６】
図６及び図９からわかるように、周波数特性の通過帯域では従来技術とほとんど変化なく、減衰帯域の８９５ＭＨｚにおいては、１３．１ｄＢ改善されることがわかる。
【００４７】
上記したように、本発明のＣＤＭＡ用Ｔｘ−フィルタによれば、共振器形ＳＡＷフィルタの周波数特性は、付加インダクタ１個を設けることにより、減衰極を形成し、高性能低挿入損失の有極型ＳＡＷフィルタを得ることができる。
【００４８】
次に、図１０は本発明の参考例の圧電基板のチップ１００内の一構成図である。
【００４９】
入力端及び出力端は１０１，１０２である。三つの直列腕ＳＡＷ共振器をＲS1５０，ＲS2５１，ＲS3５２、二つの並列腕ＳＡＷ共振器をＲP1６０，ＲP2６１に示し、直列腕ＳＡＷ共振器間の接続部を８０，８１で、また直列腕ＳＡＷ共振器と並列腕ＳＡＷ共振器間の接続部を８２，８３、接地点を７０，７１，７２，７３，７４，７５，７６，７７で示す。なお、７０〜７７は具体的にはボンディングパッドであり、ワイヤボンディングにより接地されている。
【００５０】
ここでは、図１の本発明のＺA 部は図１０の接地点７６として示されている。
【００５１】
すなわち、二つの並列腕ＳＡＷ共振器ＲP1６０，ＲP2６１の接地点７６の共通点を設定し、ワイヤボンディングパッド７７を設ける。この二つの並列腕ＳＡＷ共振器ＲP1６０，ＲP2６１の接地点の共通点は、二つの並列腕ＳＡＷ共振器ＲP1６０，ＲP2６１の背中合せ接続構成とし、二つの並列腕ＳＡＷ共振器ＲP1６０，ＲP2６１の接地点７６の間の距離を最短になるように設定した。ワイヤボンディングパッド７７とチップ外のワイヤボンディングパッド間をワイヤボンディング線により接続する。
【００５２】
このように、参考例〔１〕は、ワイヤボンディング線をインダクタとして用いたものである。
【００５３】
次に、参考例〔２〕について説明する。
【００５４】
図１１は本発明の参考例〔２〕の有極型ＳＡＷフィルタの構成図である。
【００５５】
この図に示すように、直列腕ＳＡＷ共振器：Ｒs1３０，Ｒs2３１、並列腕ＳＡＷ共振器：ＲP1３２、ＲP2３３と、この並列腕ＳＡＷ共振器：ＲP1３２，ＲP2３３に直列に接続されるインピーダンスＺA ３４で構成されている。
【００５６】
次に、参考例〔３〕について説明する。
【００５７】
図１２は本発明の参考例〔３〕の有極型ＳＡＷフィルタの構成図である。
【００５８】
この図に示すように、直列腕ＳＡＷ共振器：Ｒs1３５と、並列腕ＳＡＷ共振器：ＲP1３６，ＲP2３７と、この並列腕ＳＡＷ共振器：ＲP1３６，ＲP2３７に直列に接続されるインピーダンスＺA ３８で構成されている。
【００５９】
このように、参考例〔２〕、〔３〕では、図１１及び図１２に示したように、参考例〔１〕と同じ考えにより、付加インピーダンスとしてインダクタを用いることにより、周波数特性の低挿入損失で、しかも、急峻な特性が得られる有極型ＳＡＷフィルタを得ることができる。いずれも従来の共振器型ＳＡＷフィルタでは得られない高性能特性が得られる。
【００６０】
次に、実施例〔１〕について説明する。
【００６１】
図１３は本発明の実施例〔１〕の有極型ＳＡＷフィルタの構成図である。
【００６２】
この図に示すように、直列腕ＳＡＷ共振器：Ｒs1３０，Ｒs1３１と、並列腕ＳＡＷ共振器：ＲP1３２，ＲP2３３と、この並列腕ＳＡＷ共振器：ＲP1３２，ＲP2３３に直列に接続されるインピーダンスＺ4AP ３９で構成されている。
【００６３】
この実施例では、インピーダンスＺ4AP ３９はインダクタＬ40のみでなく、キャパシタＣ40の並列共振回路の場合である。
【００６４】
すなわち、インダクタＬ40とキャパシタＣ40との並列共振回路のインピーダンスＺ4AP は式（７）で与えられる。
【００６５】
Ｚ4AP ＝ｊωＬ40／（１−ω2 Ｌ40Ｃ40）                  …（７）
インダクタＬ0 が所要のＬ値が得られない場合、注目される帯域に限定すれば、等価Ｌｅｇは式（８）に示すように見なすことができるので、キャパシタＣ40を付加して、この等価インピーダンスＬｅｇにより、急峻な特性を有する有極型ＳＡＷフィルタを実現することができる。
【００６６】
Ｌｅｇ＝Ｌ40／（１−ω2 Ｌ40Ｃ40）                      …（８）
この場合、式（６）は式（９）のようになる。
【００６７】
Ｚ3O（Ｌ40）＝Ｚ1 ＋Ｚ3 ＋ＳＬ40／（１−ω2 Ｌ40Ｃ40）  …（９）
したがって、
Ｚ3O（Ｌ40）≒Ｚ3S                                      …（１０）
を満足する帯域がある。有限周波数に減衰極を作ることができる。
【００６８】
次に、実施例〔２〕について説明する。
【００６９】
図１４は本発明の実施例〔２〕の有極型ＳＡＷフィルタの構成図である。
【００７０】
この図に示すように、直列腕ＳＡＷ共振器：Ｒs1３０，Ｒs1３１と、並列腕ＳＡＷ共振器：ＲP1３２，ＲP2３３と、この並列腕ＳＡＷ共振器：ＲP1３２，ＲP2３３に直列に接続されるインピーダンスＺ5AP ４０で構成されている。
【００７１】
この実施例ではインピーダンスＺ5AP ４０がインダクタＬ50とキャパシタＣ50の並列共振回路と、インダクタＬ51の直列回路で構成されている。
【００７２】
この場合のインピーダンスＺ5AP は式（１１）で与えられる。
【００７３】
Ｚ5AP ＝ｊω〔Ｌ51＋Ｌ50／（１−ω2 Ｌ50Ｃ50）〕        …（１１）
この場合も同様に式（６）は式（１２）のようになる。
【００７４】
Ｚ30（Ｌ50，Ｌ51）
＝Ｚ1 ＋Ｚ3 ＋Ｓ〔Ｌ51＋Ｌ50／（１−ω2 Ｌ50Ｃ50）〕      …（１２）
インダクタＬ0 が所要のＬ値が得られない場合、注目される帯域に限定すれば、等価Ｌｅｇは式（１３）に示すように見なすことができるので、このインダクタＬｅｇで急峻な特性を有する有極型ＳＡＷフィルタを実現することができる。    Ｌｅｇ＝Ｌ51＋Ｌ50／（１−ω2 Ｌ50Ｃ50）              …（１３）
この場合も同様に、Ｚ30（Ｌ50，Ｌ51）≒Ｚ3Sを満足する帯域があり、有限周波数に減衰極を作ることができる。
【００７５】
次に、実施例〔３〕について説明する。
【００７６】
図１５は本発明の実施例〔３〕の有極型ＳＡＷフィルタの構成図である。
【００７７】
この図に示すように、直列腕ＳＡＷ共振器：Ｒs1３０，Ｒs1３１と、並列腕ＳＡＷ共振器：ＲP1３２，ＲP2３３と、この並列腕ＳＡＷ共振器：ＲP1３２，ＲP2３３に直列に接続されるインピーダンスＺ6AP ４１で構成されている。
【００７８】
この実施例ではインピーダンスＺ6AP ４１がインダクタＬ60とキャパシタＣ60の直列共振回路と、キャパシタＣ61の並列共振回路で構成されている。
【００７９】
この場合のインピーダンスＹ6AP は式（１４）で与えられる。
【００８０】
インダクタＬ0 が所要のＬ値が得られない場合、注目される帯域に限定すれば、本発明の急峻な特性を有する有極型ＳＡＷフィルタを実現することができる。
【００８１】
上記実施例〔１〕、実施例〔２〕と同様に、Ｚ30（Ｌ50，Ｌ51）≒Ｚ3Sを満足する帯域がある。したがって、急峻な特性を有する有極型ＳＡＷフィルタを実現することができる。
【００８２】
なお、本発明は上記実施例に限定されるものではなく、本発明の趣旨に基づいて種々の変形が可能であり、これらを本発明の範囲から排除するものではない。
【産業上の利用可能性】
【００８３】
本発明の有極型ＳＡＷフィルタは、民生機器や通信機器などに広範囲に利用可能である。
【図面の簡単な説明】
【００８４】
【図１】本発明にかかる示す有極型ＳＡＷフィルタの構成図である。
【図２】本発明にかかる有極型ＳＡＷフィルタの集中定数回路図である。
【図３】図２に示す本発明の有極型ＳＡＷフィルタの集中定数回路を二等分した回路図である。
【図４】梯子型ＳＡＷフィルタの構成図である。
【図５】図４に示したフィルタの集中定数等価回路図である。
【図６】本発明のＣＤＭＡ用Ｔｘ−フィルタの周波数特性と従来のＣＤＭＡ用Ｔｘ−フィルタの周波数特性を示す図である。
【図７】従来のＣＤＭＡ用Ｔｘ−フィルタの開放、短絡インピーダンス特性図である。
【図８】本発明の参考例を示すＣＤＭＡ用Ｔｘ−フィルタの開放、短絡インピーダンス特性図である。
【図９】ＣＤＭＡ用Ｔｘ−フィルタの周波数特性及びインピーダンス特性を示す図である。
【図１０】本発明の参考例を示す圧電基板のチップ内の一構成図である。
【図１１】本発明の参考例〔２〕の有極型ＳＡＷフィルタの構成図である。
【図１２】本発明の参考例〔３〕の有極型ＳＡＷフィルタの構成図である。
【図１３】本発明の実施例〔１〕の有極型ＳＡＷフィルタの構成図である。
【図１４】本発明の実施例〔２〕の有極型ＳＡＷフィルタの構成図である。
【図１５】本発明の実施例〔３〕の有極型ＳＡＷフィルタの構成図である。
【符号の説明】
【００８５】
１，２，５，６，７，８    端子    
３，４，３４，３８，３９，４０，４１    インピーダンス
１０，１１，１２，３０，３１，３５，５０，５１，５２    直列腕ＳＡＷ共振器
１３〜１８，２２，２３    ＳＡＷ共振器の等価回路
２０，２１，３２，３３，３６，３７，６０，６１    並列腕ＳＡＷ共振器
７０，７１，７２，７３，７４，７５，７６，７７    接地点（ボンディングパッド）
８０，８１    直列腕ＳＡＷ共振器間の接続部
８２，８３    直列腕ＳＡＷ共振器と並列腕ＳＡＷ共振器間の接続部
１００    圧電基板のチップ
１０１，１０２    入力端及び出力端
２００，２０１    二端子対回路
【図１】
2006014377.tif 000003
【図２】
2006014377.tif 000004
【図３】
2006014377.tif 000005
【図４】
2006014377.tif 000006
【図５】
2006014377.tif 000007
【図６】
2006014377.tif 000008
【図７】
2006014377.tif 000009
【図８】
2006014377.tif 000010
【図９】
2006014377.tif 000011
【図１０】
2006014377.tif 000012
【図１１】
2006014377.tif 000013
【図１２】
2006014377.tif 000014
【図１３】
2006014377.tif 000015
【図１４】
2006014377.tif 000016
【図１５】
2006014377.tif 000017